(57)【特許請求の範囲】
【請求項１】
中継片によって連結された上側押え片と下側押え片との間に腕金を通した後、それらの自由端側を締付ボルトおよびナットにより締付けて腕金に取付ける一方、中継片側に高圧カットアウト等の電気機器を取付ける電気機器取付け金具であって、
前記上側押え片の自由端側が折返されて、その自由端の先端部が前記上側押え片の上面まで延び、前記上側押え片の自由端側を前記上側押え片の上面との間に空間部を形成する上側折返し片を有し、
前記締付ボルトは、当該締付ボルトの軸部と頭部との連結部分に当該軸部の外径以上の長さの辺を有する平面視正方形で、かつ、所定の高さを有する角根部が設けられている一方、当該締付ボルトの頭部は、左右両側または上下両側のいずれか一方の幅が前記角根部の平面視正方形の辺の長さと同じで、他方の幅がその辺の長さより大であり、
前記上側押え片の自由端側および前記上側折返し片には、前記締付ボルトの角根部の平面視形状である正方形の辺の長さ以上で、かつ、当該正方形の対角線の長さ未満の幅を有する上側切欠き溝部が形成されている一方、
前記上側折返し片には、前記締付ボルトをその軸部の軸心を中心に回転できるように前記上側切欠き溝部に連続して前記締付ボルトの角根部の平面視形状である前記正方形の対角線の長さ以上であって、かつ、前記頭部の最大幅未満の幅を有する角根部回転許容溝部が形成されており、
前記上側折返し片と前記上側押え片の上面との間に形成される前記空間部は、
前記締付ボルトの軸部を前記上側押え片および前記下側押え片の長手方向と平行にして当該空間部に前記締付ボルトの頭部を挿入した場合には、前記締付ボルトの前記角根部の少なくとも一部が前記上側切欠き溝部および前記角根部回転許容溝部に位置し、
前記角根部が前記上側切欠き溝部に位置する場合は前記角根部の側面の一部が前記上側切欠き溝部の内側面に当接して回転できない一方、前記角根部回転許容溝部に位置する場合には、前記締付ボルトの軸部の軸心を中心として回転可能となるように形成されている、
ことを特徴とする電気機器取付け金具。
【請求項２】
請求項１記載の電気機器取付け金具において、
前記上側折返し片は、
前記上側押え片の自由端から立ち上がる上側折返し起立片部と、
その上側折返し起立片部の上端部から中継片の方向へ折れ曲がり、前記上側押え片とほぼ平行に延びる上側折返し上片部と、
その上側折返し上片部における中継片側端部から折れ曲がり前記上側押え片の上面に向かって斜め下方へ延び、前記上側押え片の上面に対し鋭角を成す上側折返し傾斜片部とを有し、
前記上側切欠き溝部は、前記上側押え片の自由端と、当該上側折返し片の前記上側折返し起立片部および前記上側折返し上片部に形成されている一方、
前記角根部回転許容溝部は、当該上側折返し片の前記上側折返し上片部および前記上側折返し傾斜片部に形成されており、
前記上側折返し片と前記上側押え片の上面との間に形成される前記空間部の高さは、前記締付ボルトの頭部の最大高さと、前記角根部の高さとを加算した長さ未満である、
ことを特徴とする電気機器取付け金具。
【発明の詳細な説明】
【技術分野】
【０００１】
本発明は、電柱に固設された腕金に高圧電流遮断器、高圧電流開閉器、アレスタ等の電気機器類を設置するための取付け金具であって、電気機器類を腕金に簡単に結合できるように構成した電気機器取付け金具に関するものである。
【背景技術】
【０００２】
従来から、電柱に装備される高圧カットアウト、アレスタ等の電気機器類は、電柱の腕金に固定した取付け金具を介して取付けるようにしている。このような作業は、作業者が危険な高電圧の環境下において手作業で行うため、非常に危険を伴うものである。また、取付けるべき電気機器類には、高圧カットアウト、アレスタ等の異なる器種或は異なる形状が存在し、様々な取付け金具が必要となるため、各種の電気機器類を電柱の腕金に取付ける作業が非常に煩雑になるという問題があった。
【０００３】
そのため、電気機器取付け金具として、例えば、締付ボルトを引き上げて載置可能なように一端に吊下げ保持した直状帯板と、中間部の両端からほぼ直交して１８０°反対方向に長板部と短板部を一体的に延在させ、その長短板部のそれぞれの端部に切欠きを形成した折曲帯板とを備え、長短板部のいずれか一方を直状帯板の他端に着脱自在に重合させて固着すると共に、長短板部の他方と直状帯板との間にアームを挿入し、直状帯板の一端に吊下げ保持された締付ボルトの先端を長短板部の他方の切欠きに嵌め込んで締着することによりアームに固定する構造のものが提案されている（例えば、特許文献１参照。）。
【０００４】
また、その他の電気機器取付け金具として、長尺の板部材を用いて腕金の縦幅を上下から挟持する上側押え片と下側押え片とが折曲形成されると共にこれらの上側押え片と下側押え片との間に開口が形成され、上側押え片の折曲端側近傍には電気機器を結合するためのボルト穴が形成され、上側押え片の自由端側に締付ボルトの一端を回動自在に枢設し、該締付ボルトを上方に回動して傾斜状に倒立した状態を制止する起立片を形成すると共に、開口に嵌入する際の腕金が締付ボルトの枢設部から反対側に延長形成された突片を押し動かすことによって回動した締付ボルトの先端ネジ部を下側押え片のスリットに挿着してナットで締結することにより腕金の横幅一側を係止する一方、腕金の横幅変化に応じて位置を変え得る状態で上側押え片と下側押え片との間に締結された幅調整棒で腕金の横幅の他側を係止するように構成したものも提案されている（例えば、特許文献２参照。）。
【先行技術文献】
【特許文献】
【０００５】
【特許文献１】特開２０００−２７０４５２号公報
【特許文献２】特開２００４−２０１４５４号公報
【発明の概要】
【発明が解決しようとする課題】
【０００６】
しかし、上述の特許文献１の電気機器取付け金具では、直状帯板の一端に吊下げ保持された締付ボルトの先端を長短板部の他方の切欠部に嵌め込んで締着するように構成したため、金具の搬送時や腕金への取付け時に外側の締付ボルトの下端部に締結しているボルトが緩んだり、ボルトを取外した際に、締付ボルトが金具本体から脱落して、金具本体に再度、締結ボルト取付ける必要があり、作業性が悪い、という問題がある。
【０００７】
その一方、上述の特許文献２の電気機器取付け金具では、締付ボルトの一端を貫通した枢士軸とピン等により上側押え片の折曲片に回転自在に取付けているため、締付ボルトが取付け金具本体の上側押え片から落下するおそれは少ないものの、枢士軸やピンが必要なため、部品点数が増大すると共に、組立ての際、枢士軸やピンの装着作業が必要になり、コストが増大するという問題がある。
【０００８】
そこで、本発明は、このような課題を解決するためになされたもので、締付ボルトを上側押え片に取付けるための枢士軸やピン等が不要で、部品点数およびコストが増大せず、かつ、搬送時や腕金への取付け時に締付ボルトの下端部に締結しているボルトが緩んだり、ボルトを取外した場合でも、締付ボルトが金具本体から脱落し難く、作業性が良い電気機器取付け金具を提供すること目的とする。
【課題を解決するための手段】
【０００９】
上記課題を解決するため、本発明に係る電気機器取付け金具は、中継片によって連結された上側押え片と下側押え片との間に腕金を通した後、それらの自由端側を締付ボルトおよびナットにより締付けて腕金に取付ける一方、中継片側に高圧カットアウト等の電気機器を取付ける電気機器取付け金具であって、前記上側押え片の自由端側が折返されて、その自由端の先端部が前記上側押え片の上面まで延び、前記上側押え片の自由端側を前記上側押え片の上面との間に空間部を形成する上側折返し片を有し、前記締付ボルトは、当該締付ボルトの軸部と頭部との連結部分に当該軸部の外径以上の長さの辺を有する平面視正方形で、かつ、所定の高さを有する角根部が設けられている一方、当該締付ボルトの頭部は、左右両側または上下両側のいずれか一方の幅が前記角根部の平面視正方形の辺の長さと同じで、他方の幅がその辺の長さより大であり、前記上側押え片の自由端側および前記上側折返し片には、前記締付ボルトの角根部の平面視形状である正方形の辺の長さ以上で、かつ、当該正方形の対角線の長さ未満の幅を有する上側切欠き溝部が形成されている一方、前記上側折返し片には、前記締付ボルトをその軸部の軸心を中心に回転できるように前記上側切欠き溝部に連続して前記締付ボルトの角根部の平面視形状である前記正方形の対角線の長さ以上であって、かつ、前記頭部の最大幅未満の幅を有する角根部回転許容溝部が形成されており、前記上側折返し片と前記上側押え片の上面との間に形成される前記空間部は、前記締付ボルトの軸部を前記上側押え片および前記下側押え片の長手方向と平行にして当該空間部に前記締付ボルトの頭部を挿入した場合には、前記締付ボルトの前記角根部の少なくとも一部が前記上側切欠き溝部および前記角根部回転許容溝部に位置し、前記角根部が前記上側切欠き溝部に位置する場合は前記角根部の側面の一部が前記上側切欠き溝部の内側面に当接して回転できない一方、前記角根部回転許容溝部に位置する場合には、前記締付ボルトの軸部の軸心を中心として回転可能となるように形成されている、ことを特徴とする。
ここで、前記上側折返し片は、前記上側押え片の自由端から立ち上がる上側折返し起立片部と、その上側折返し起立片部の上端部から中継片の方向へ折れ曲がり、前記上側押え片とほぼ平行に延びる上側折返し上片部と、その上側折返し上片部における中継片側端部から折れ曲がり前記上側押え片の上面に向かって斜め下方へ延び、前記上側押え片の上面に対し鋭角を成す上側折返し傾斜片部とを有し、前記上側切欠き溝部は、前記上側押え片の自由端と、当該上側折返し片の前記上側折返し起立片部および前記上側折返し上片部に形成されている一方、前記角根部回転許容溝部は、当該上側折返し片の前記上側折返し上片部および前記上側折返し傾斜片部に形成されており、前記上側折返し片と前記上側押え片の上面との間に形成される前記空間部の高さは、前記締付ボルトの頭部の最大高さと、前記角根部の高さとを加算した長さ未満である、ように構成すると良い。
【発明の効果】
【００１０】
本発明の電気機器取付け金具では、頭部の左右両側または上下両側のいずれか一方の幅が角根部の平面視正方形の辺の長さと同じで、他方の幅がその辺の長さより大である締付ボルトを使用し、上側押え片の自由端側および上側折返し片には、締付ボルトの角根部の平面視形状である正方形の辺の長さ以上で、かつ、当該正方形の対角線の長さ未満の幅を有する上側切欠き溝部が形成されている一方、上側折返し片には、締付ボルトをその軸部の軸心を中心に回転できるように上側切欠き溝部に連続して締付ボルトの角根部の平面視形状である正方形の対角線の長さ以上であって、かつ、頭部の最大幅未満の幅を有する角根部回転許容溝部が形成されている。
そして、上側折返し片と上側押え片の上面との間に形成される空間部は、締付ボルトの軸部を上側押え片および下側押え片の長手方向と平行にして当該空間部に締付ボルトの頭部を挿入した場合には、締付ボルトの角根部の少なくとも一部が上側切欠き溝部および角根部回転許容溝部に位置し、角根部が上側切欠き溝部に位置する場合は角根部の側面の一部が上側切欠き溝部の内側面に当接して回転できない一方、角根部回転許容溝部に位置する場合には、締付ボルトの軸部の軸心を中心として回転可能となるように形成されている。
そのため、締付ボルトの頭部は、金具本体の上側押え片に形成された上側切欠き溝部または角根部回転許容溝部から上側折返し片と上側押え片の上面との間に形成される空間部に装着可能で、しかも角根部回転許容溝部に締付ボルトの角根部が存在している場合のみその軸部の軸心を中心に回転し、かつ、回転させると頭部がその空間部から抜けなくなる。
その結果、本発明の電気機器取付け金具によれば、締付ボルトを上側押え片に取付けるための枢士軸やピン等が不要となり、部品点数およびコストの増大を防止できる。
また、締付ボルトの頭部が空間部に収容されているほとんどの場合、角根部の側面が上側切欠き溝部の内側面に当接していて、締付ボルトが軸部の軸心を中心として回転することがなくなるため、締付ボルトに螺合させたナットが緩み難くなり、締付ボルトが金具本体から脱落し難くなるので、作業性が向上する。
また、締付ボルトが装着される上側押え片の自由端側には、その自由端を折返して締付ボルトの頭部等が納まる空間部を形成する上側折返し片を設けているため、搬送時や腕金への取付け時に締付ボルトの下端部に締結しているボルトが緩んだり、ボルトを取外した場合でも、締付ボルトの頭部が上側折返し片に当接するので、この点でも締付ボルトが金具本体から脱落し難くなり、作業性が向上する。
【図面の簡単な説明】
【００１１】
【図１】本発明に係る実施形態の電気機器取付け金具の使用例を示す正面図である。
【図２】本発明に係る実施形態の電気機器取付け金具の斜視図である。
【図３】本発明に係る実施形態の電気機器取付け金具を構成する金具本体の斜視図である。
【図４】（ａ）〜（ｃ）それぞれ本発明に係る実施形態の電気機器取付け金具を構成する締付ボルトの平面図、正面図、底面図である。
【図５】本発明に係る実施形態の電気機器取付け金具の正面図である。
【図６】本発明に係る実施形態の電気機器取付け金具の背面図である。
【図７】（ａ），（ｂ）それぞれ本発明に係る実施形態の電気機器取付け金具の平面図、底面図である。
【図８】（ａ），（ｂ）それぞれ本発明に係る実施形態の電気機器取付け金具の左側面図、右側面図である。
【図９】図７（ｂ）におけるＡ−Ａ線断面図である。
【図１０】（ａ），（ｂ）それぞれ本発明に係る実施形態の電気機器取付け金具の上側押え片の自由端側の部分拡大平面図、部分拡大正面図である。
【図１１】（ａ）〜（ｄ）それぞれ本発明に係る実施形態の電気機器取付け金具の金具本体に締付ボルトをセットする際の手順例を示す部分平面図である。
【図１２】（ａ）〜（ｃ）それぞれ本発明に係る実施形態の電気機器取付け金具の金具本体に締付ボルトをセットする際の手順例を示す部分正面図である。
【図１３】（ａ）〜（ｄ）それぞれ本発明に係る実施形態の電気機器取付け金具を腕金に取付ける際の手順例を示す部分平面図である。
【図１４】（ａ）〜（ｃ）それぞれ本発明に係る電気機器取付け金具の金具本体における上側折返し片の正面視形状の変形例を示す部分正面図である。
【発明を実施するための形態】
【００１２】
以下、本発明に係る実施形態の電気機器取付け金具について、図１〜図１４を参照して説明する。なお、下記に説明する実施形態は、あくまで、本発明の一例であり、本発明は、下記に説明する実施形態に限定されるものではない。
【００１３】
この電気機器取付け金具１は、図１に示すように、電柱２等に固設された腕金３に高圧カットアウト（高圧電流遮断器）や高圧電流開閉器、アレスタ等の電気機器４を設置するための取付け金具に関するもので、図２〜図１０に示すように、長尺で厚みのある幅狭金属板を折り曲げることにより形成された金具本体１０と、２本の締付ボルトである締付ボルト１４および横幅調整用ボルト１５と、それらの先端のネジ部に螺合するナット１６，１７等を備える。
【００１４】
金具本体１０は、図２や図３等に示すように、腕金３を上下方向から挟持する上側押え片１１および下側押え片１２と、上側押え片１１および下側押え片１２を中継する中継片１３とを有し、締付ボルト１４および横幅調整用ボルト１５とナット１６，１７により腕金３を挟持するように構成されている。
【００１５】
締付ボルト１４および横幅調整用ボルト１５は、それぞれ、軸部１４ａ，１５ａおよび頭部１４ｂ，１５ｂを有すると共に、軸部１４ａ，１５ａと頭部１４ｂ，１５ｂとの連結部分に、各軸部１４ａ,１５ａの外径以上の長さの辺を有するいわゆる平面視正方形の角根部１４ｃ，１５ｃを有するいわゆる角根ボルトを使用している。
【００１６】
締付ボルト１４の頭部１４ｂは、図４（ａ）〜（ｃ）等に示すように平面視円形の頭部の左右両側または上下両側のいずれかにおいてその角根部１４ｃの一辺の長さＬ１で削除することにより頭部１４ｂの短辺側面１４ｂ１が曲面で、かつ、長辺側面１４ｂ２が平面である平面視長方形に近似した形状に形成されている。尚、ここでは、角根部１４ｃの辺の長さＬ１は、軸部１４ａの外径と同一にしているが、軸部１４ａの外径より大でも勿論良い。また、横幅調整用ボルト１５の頭部１５ｂは、通常の平面視円形状である。
【００１７】
ここで、締付ボルト１４の頭部１４ｂの最小幅は、短辺側面１４ｂ１の幅、すなわち角根部１４ｃの平面視正方形の一辺の長さＬ１と同じである一方、締付ボルト１４の頭部１４ｂの最大幅は、その長辺側面１４ｂ２の幅Ｌ２となる。
【００１８】
また、図４（ａ）に示すように、締付ボルト１４の角根部１４ｃの平面視正方形の対角線の長さを、Ｌ３とする。
【００１９】
さらに、図４（ｂ）に示すように、締付ボルト１４の頭部１４ｂの高さをＨ１、角根部１４ｃの高さをＨ２とする。
【００２０】
（上側押え片１１）
上側押え片１１は、腕金３の上面を上から押さえる部分で、図２や図３等に示すように、腕金３の横幅に応じて横幅調整用ボルト１５が挿入されてその角根部１５ｃが嵌る平面視正方形のボルト孔１１ｄ，１１ｅと、図１に示すように電気機器４の電気機器取付け片４１を固定するための締結ボルト４２ａおよびナット４２ｂが取付けられる平面視丸形および平面視正方形のボルト孔１１ｆ，１１ｇとが設けられている。
【００２１】
そして、上側押え片１１の自由端１１ａ側には、図２や図３等に示すように、上側押え片１１の自由端１１ａ側と上側押え片１１の上面との間に空間部１１ｂが形成されるように折返し、その自由端１１ａの先端部が上側押え片１１の上面に接触する上側折返し片１１ｃを設けている。
【００２２】
上側折返し片１１ｃは、上側押え片１１の自由端１１ａから立ち上がる上側折返し起立片部１１ｃ１と、上側折返し起立片部１１ｃ１の上端部から中継片１３の方向へ折れ曲がり、上側押え片１１とほぼ平行に延びる上側折返し上片部１１ｃ２と、上側折返し上片部１１ｃ２における中継片１３側端部から折れ曲がり上側押え片１１の上面に向かって斜め下方へ延び、上側押え片１１の上面に対し約３０度前後の鋭角を成す上側折返し傾斜片部１１ｃ３とを有する。ここで、上側折返し傾斜片部１１ｃ３の先端部は、上側押え片１１の上面に接触して溶接されていても良いし、接触するだけで溶接されてなくても、あるいは近接していて接触してなくも良い。
【００２３】
そして、上側押え片１１の自由端１１ａ側および上側折返し片１１ｃの上側折返し起立片部１１ｃ１および上側折返し上片部１１ｃ２には、図１０（ａ）等に示すように、締付ボルト１４の角根部１４ｃの平面視形状である正方形の辺の長さＬ１以上で、かつ、当該正方形の対角線の長さＬ３未満の幅Ｗ１を有する上側切欠き溝部１１ｈが形成されている。
【００２４】
また、上側折返し片１１ｃの上側折返し上片部１１ｃ２および上側折返し傾斜片部１１ｃ３には、図１０（ａ）等に示すように、締付ボルト１４をその軸部１４ａを中心に回転できるように上側切欠き溝部１１ｈに連続して締付ボルト１４の角根部１４ｃの平面視形状である正方形の対角線の長さＬ３（図４（ａ）参照。）以上であって、かつ、締付ボルト１４の頭部１４ｂの最大幅である長辺側面１４ｂ２の幅Ｌ２（図４（ａ）参照。）未満の幅Ｗ２を有する角根部回転許容溝部１１ｉが形成されている。
【００２５】
さらに、上側折返し片１１ｃと上側押え片１１の上面との間に形成される空間部１１ｂの正面視の間隔（高さ）Ｈ３は、図１０（ｂ）に示すように締付ボルト１４の頭部１４ｂの最大高さＨ１と、角根部１１ｃの高さＨ２とを加算した長さ未満にしている。
【００２６】
その結果、本実施形態の電気機器取付け金具１では、上側折返し片１１ｃと上側押え片１１の上面との間に形成される空間部１１ｂは、締付ボルト１４の軸部１４ａを上側押え片１１および下側押え片１２の長手方向と平行にして当該空間部１１ｂに締付ボルト１４の頭部１４ｂを挿入した場合には、後述する図１０〜図１２等に示すように締付ボルト１４の角根部１４ｃの少なくとも一部が上側切欠き溝部１１ｈおよび角根部回転許容溝部１１ｉに位置（存在）することになる。
【００２７】
そのため、締付ボルト１４の角根部１４ｃが上側切欠き溝部１１ｈに位置する場合は、角根部１４ｃの側面の一部が上側切欠き溝部１１ｈの内側面に当接して回転できない一方、締付ボルト１４の角根部１４ｃが角根部回転許容溝部１１ｉに位置する場合には、締付ボルト１４の軸部１４ａの軸心を中心として回転可能となる。
【００２８】
（下側押え片１２）
下側押え片１２は、図５や図６等に示すようにその自由端１２ａ側を所定の長さで、ほぼ９０度だけ折曲げて形成した下側折曲げ部１２ｂを有する。
【００２９】
そして、下側押え片１２には、図３等に示すように腕金３の横幅に応じて横幅調整用ボルト１５の軸部１５ａが挿入される平面視円形のボルト孔１２ｄ，１２ｅが設けられている。
【００３０】
また、下側押え片１２の自由端１２ａ側および下側折曲げ部１２ｂには、締付ボルト１４の軸部１４ａの外径以上で、かつ、ナット１６の最大径未満の幅を有する下側切欠き溝部１２ｃが形成されている。尚、ここでは、下側切欠き溝部１２ｃの幅は、上側切欠き溝部１１ｈの幅Ｗ１と同じである。
【００３１】
（中継片１３）
中継片１３は、上側押え片１１と下側押え片１２とを中継するもので、角根ボルトに対応した平面視正方形のボルト孔１３ａが設けられている。尚、このボルト孔１３ａは、電気機器４の種類によっては使用されるもので、省略可能で、この実施形態では使用しない。
【００３２】
＜電気機器取付け金具の金具本体に締付ボルトをセットする際の手順＞
次に、本発明に係る実施形態の電気機器取付け金具１の金具本体１０に締付ボルト１４をセットする際の手順例について説明する。
【００３３】
図１１（ａ）に示すように、電気機器取付け金具１の金具本体１０の上側折返し片１１ｃの上側折返し上片部１１ｃ２および上側折返し傾斜片部１１ｃ３に形成された角根部回転許容溝部１１ｉに締付ボルト１４の頭部１４ｂの短辺側面１４ｂ１側を近付け、図１１（ｂ）および図１２（ａ）に示すように、その頭部１４ｂの長手方向が金具本体１０の上側押え片１１や下側押え片１２、上側折返し片１１ｃの長手方向と平行にして角根部回転許容溝部１１ｉを介して空間部１１ｂに挿入する。
【００３４】
その際、上側切欠き溝部１１ｈの幅Ｗ１は、図１０（ａ）に示すように締付ボルト１４の角根部１４ｃの平面視形状である正方形の辺の長さＬ１以上で、かつ、当該正方形の対角線の長さＬ３未満であるため、締付ボルト１４の頭部１４ｂの短辺側面１４ｂ１側から上側切欠き溝部１１ｈに挿入すれば、上側押え片１１の自由端１１ａ側と上側押え片１１の上面との間に空間部１１ｂに締付ボルト１４の頭部１４ｂを挿入できる。
【００３５】
ただし、上側切欠き溝部１１ｈの幅Ｗ１は、図１０（ａ）に示すように締付ボルト１４の角根部１４ｃの平面視形状である正方形の対角線の長さＬ３未満であるため、締付ボルト１４をその軸部１４ａの軸心を中心に回転させることはできない。
【００３６】
尚、図１１（ａ）に示す場合と異なり、締付ボルト１４の頭部１４ｂを、上側切欠き溝部１１ｈの幅Ｗ１よりも広い、上側折返し片１１ｃの上側折返し上片部１１ｃ２および上側折返し傾斜片部１１ｃ３に形成された角根部回転許容溝部１１ｉから挿入するようにしても良い。
【００３７】
次に、作業者は、締付ボルト１４の角根部１４ｃが、図１１（ｂ）および図１２（ａ）に示すように、上側折返し片１１ｃの上側折返し上片部１１ｃ２および上側折返し傾斜片部１１ｃ３に形成された角根部回転許容溝部１１ｉまで移動させる。
【００３８】
角根部回転許容溝部１１ｉは、図１０（ａ）に示すように上側切欠き溝部１１ｈに連続して締付ボルト１４の角根部１４ｃの平面視形状である正方形の対角線の長さＬ３（図４（ａ）参照。）以上であって、かつ、締付ボルト１４の頭部１４ｂの最大幅である長辺側面１４ｂ２の幅Ｌ２（図４（ａ）参照。）未満の幅Ｗ２を有するため、図１１（ｂ）および図１１（ｃ）に示すように締付ボルト１４をその軸部１４ａを中心に回転させることができる。
【００３９】
そして、図１１（ｄ）および図１２（ｂ）に示すように締付ボルト１４を回転させて９０度回転させると、締付ボルト１４の頭部１４ｂの最大幅である長辺側面１４ｂ２の幅Ｌ２は角根部回転許容溝部１１ｉの幅Ｗ２より大であるため、図１０（ａ），（ｂ）や図１１（ｄ）に示すように締付ボルト１４の頭部１４ｂが角根部回転許容溝部１１ｉから脱落することを防止できる。
【００４０】
その後は、図１２（ｂ）に示す矢印の方向に締付ボルト１４を、その頭部１４ｂを中心に、軸部１２ａ先端に螺合させていたナット１６が上側押え片１１の上方から、図１２（ｃ）に示すように下側押え片１２の下方へ移動するように回転させる。
【００４１】
＜電気機器取付け金具１を腕金３に取付ける際の手順＞
次に、本発明に係る実施形態の電気機器取付け金具１の金具本体１０に締付ボルト１４をセットする際の手順例について説明する。
【００４２】
図１３（ａ）〜（ｄ）は、それぞれ、本発明に係る実施形態の電気機器取付け金具１を腕金３に取付ける際の手順例を示す部分平面図である。
【００４３】
まず、金具本体１０に締付ボルト１４および横幅調整用ボルト１５をセットした本実施形態の電気機器取付け金具１を、図１３（ａ）に示すように腕金３の近くまで運ぶ。その際、本実施形態の電気機器取付け金具１の金具本体１０には、図１３（ａ）に示すように電気機器取付け片４１を介して電気機器４が取付けられていても、電気機器取付け片４１および電気機器４が取付けられていなくても良い。
【００４４】
次に、作業者は、図１３（ａ）に示すように締付ボルト１４のナット１６を緩め、図１３（ｂ）に示すように電気機器取付け金具１の下側押え片１２の下側切欠き溝部１２ｃから締付ボルト１４の軸部１４ａの先端側を外し、締付ボルト１４の頭部１４ｂを中心に、軸部１２ａ先端に螺合させていたナット１６が上側押え片１１の高さ以上になるように持ち上げ、上側押え片１１と下側押え片１２との間に腕金３を挿入する。
【００４５】
そして腕金３の側面が上側押え片１１と下側押え片１２とに挿入しておいた横幅調整用ボルト１５の軸部１５ａに当接するまで挿入した後、図１３（ｃ）に示すように締付ボルト１４の軸部１４ａの先端側を下ろして、本実施形態の電気機器取付け金具１の下側押え片１２の下側切欠き溝部１２ｃに嵌める。
【００４６】
その後、締付ボルト１４の軸部１４ａの先端側にナット１５を螺合し、締付けることによって腕金３に実施形態の電気機器取付け金具１を固定することができる。
【００４７】
以上説明したように本実施形態の電気機器取付け金具１では、金具本体１０の上側押え片１１の自由端１１ａ側を折返して、その自由端１１ａの先端部が上側押え片１１の上面まで延び、上側押え片１１の自由端１１ａ側を上側押え片１１の上面との間に空間部１１ｂを形成する上側折返し片１１ｃを設け、上側押え片１１の自由端１１ａ側および上側折返し片１１ｃには、締付ボルト１４の角根部１４ｃの平面視形状である正方形の辺の長さＬ１以上で、かつ、当該正方形の対角線の長さＬ３未満の幅を有する上側切欠き溝部１１ｈを設ける。
【００４８】
また、上側折返し片１１ｃには、締付ボルト１４をその軸部１４ａの軸心を中心に回転できるように上側切欠き溝部１１ｈに連続して締付ボルト１４の角根部１４ｃの平面視形状である正方形の対角線の長さＬ３以上であって、かつ、頭部１４ｂの最大幅である長辺側面１４ｂ２の幅Ｌ２未満の幅Ｗ２を有する角根部回転許容溝部１１ｉを設ける。
【００４９】
これにより、上側折返し片１１ｃと上側押え片１１の上面との間に形成される空間部１１ｂは、締付ボルト１４の軸部１４ａを上側押え片１１および下側押え片１２の長手方向と平行にして当該空間部１１ｂに締付ボルト１４の頭部１４ｂを挿入した場合には、締付ボルト１４の角根部１４ｃの少なくとも一部が上側切欠き溝部１１ｈおよび角根部回転許容溝部１１ｉに位置し、角根部１４ｃが上側切欠き溝部に位置する場合は角根部１４ｃの側面の一部が上側切欠き溝部１１ｈの内側面に当接して回転できない一方、角根部１４ｃが角根部回転許容溝部１１ｉに位置する場合には、締付ボルト１４の軸部１４ａの軸心を中心として回転可能となる。
【００５０】
そのため、締付ボルト１４の頭部１４ｂは、上側切欠き溝部１１ｈまたは角根部回転許容溝部１１ｉから空間部１１ｂに装着可能となり、しかも締付ボルト１４の角根部１４ｃが角根部回転許容溝部１１ｉに存在している場合のみその軸部１４ａの軸心を中心に回転し、かつ、回転させると頭部１４ｂが上側折返し片１１ｃの裏面や上側押え片１１の上面に当接して空間部１１ｂから抜けなくなる。
【００５１】
その結果、本発明の電気機器取付け金具１によれば、締付ボルト１４を上側押え片１１に取付けるための枢士軸やピン等が不要となり、部品点数およびコストの増大を防止できる。
【００５２】
また、締付ボルト１４の頭部１４ｂが、上側押え片１１の自由端１１ａ側と上側押え片１１の上面との間に形成された空間部１１ｂに収容されているほとんどの場合、締付ボルト１４の角根部１４ｃの側面が上側切欠き溝部１１ｈの内側面に当接していて、締付ボルト１４が軸部１４ａの軸心を中心として回転することがなくなるため、締付ボルト１４に螺合させたナット１６が緩み難くなり、締付ボルト１４が金具本体１０から脱落し難くなるので、作業性が向上する。
【００５３】
また、上側押え片１１の自由端１１ａを折返して締付ボルト１４の頭部１４ｂ等が納まる空間部１１ｂを形成する上側折返し片１１ｃを設けたため、搬送時や腕金３への取付け時に締付ボルト１４の下端部に締結しているボルト１６が緩んだり、ボルト１６を取外した場合でも、締付ボルト１４の頭部１４ｂが上側折返し片１１ｃの裏面に当接するので、この点でも締付ボルト１４が金具本体１０から脱落し難く、作業性が向上する。
【００５４】
また、本発明に係る電気機器取付け金具１は、上側折返し片１１ｃの先端部から所定長の部分は、上側押え片１１の上面に対し鋭角をなす傾斜面を有する傾斜片部１１ｃ３であり、その傾斜片部１１ｃ３から上側折返し上片部１１ｃ２にかけて角根部回転許容溝部１１ｉを設けている。
【００５５】
そのため、角根部回転許容溝部１１ｉも上側押え片１１の上面に対し鋭角をなすので、締付ボルト１４の角根部１４ｃを角根部回転許容溝部１１ｉに位置させてその軸部１４ａの軸心（長手方向）を中心に回転させる際、上側押え片１１の上面が干渉せず邪魔にならず、この点で作業性を向上させることができる。
【００５６】
尚、上記実施形態の説明では、上側折返し片１１ｃは、上側押え片１１の自由端１１ａから立ち上がる上側折返し起立片部１１ｃ１と、上側押え片１１とほぼ平行に延びる上側折返し上片部１１ｃ２と、上側折返し傾斜片部１１ｃ３とを有するものとして説明したが、本発明ではこれに限定されず、例えば、図１４（ａ）に示すように、起立片部１１ｃ１’が湾曲していても良いし、図１４（ｂ），（ｃ）に示すように、上側折返し傾斜片部１１ｃ３が設けられてなく、上側折返し上片部１１ｃ２における中継片１３側端部から折れ曲がり上側押え片１１の上面に向かって垂直に垂れ下がる垂下片部１１ｃ４を設けても良い。ただし、図１４（ｂ）の場合には、垂下片部１１ｃ４よりも上側折返し上片部１１ｃ２を長くして上側折返し上片部１１ｃ２に角根部回転許容溝部１１ｉを設ける一方、図１４（ｃ）の場合には、上側折返し上片部１１ｃ２よりも垂下片部１１ｃ４を長くして垂下片部１１ｃ４に角根部回転許容溝部１１ｉを設けている。
【符号の説明】
【００５７】
１  電気機器取付け金具
１０  金具本体
１１  上側押え片
１１ａ  自由端
１１ｂ  空間部
１１ｃ  上側折返し片１１ｃ
１１ｃ１  上側折返し起立片部
１１ｃ２  上側折返し上片部
１１ｃ３  上側折返し傾斜片部
１１ｄ〜１１ｇ  ボルト孔
１１ｈ  上側切欠き溝部
１１ｉ  角根部回転許容溝部
１２  下側押え片
１２ａ  自由端
１２ｂ  下側折曲げ部
１２ｃ  下側切欠き溝部
１２ｄ，１２ｅ  ボルト孔
１３  中継片
１４  締付ボルト
１４ａ  軸部
１４ｂ  頭部
１４ｃ  角根部
１５  横幅調整用ボルト
１５ａ  軸部
１５ｂ  頭部
１６，１７  ナット
２  電柱
３  腕金
４  電気機器
【図１】
0006503304.tif 000002
【図２】
0006503304.tif 000003
【図３】
0006503304.tif 000004
【図４】
0006503304.tif 000005
【図５】
0006503304.tif 000006
【図６】
0006503304.tif 000007
【図７】
0006503304.tif 000008
【図８】
0006503304.tif 000009
【図９】
0006503304.tif 000010
【図１０】
0006503304.tif 000011
【図１１】
0006503304.tif 000012
【図１２】
0006503304.tif 000013
【図１３】
0006503304.tif 000014
【図１４】
0006503304.tif 000015